(57)【要約】【課題】メモリユニット、及びビデオコントローラ等のデータ通信用基板を変える時に、プリンタの電源をオフすることなく、且つ急な電源オフによるメモリの破壊、及び電源オン状態の交換によるメモリユニット及びビデオコントローラの破壊を生ずることなく、安全に交換可能な画像記録装置の提供。【解決手段】パソコン等の外部装置１３１とプリンタ１０１等の画像記録装置間のデータ通信を司るデータ通信用基板１２７と、該データ通信用基板１２７上に着脱可能なメモリユニット１３２と、これらを覆うと共に開閉可能な筐体１３３とを備えた画像記録装置であって、筐体１３３の開閉検知手段１３４と、メモリユニット１３２の電源オンオフ手段と、時間計測手段と、を具備し、筐体１３３が開いたときには、一定時間後にメモリの電源のみをオフすることを特徴とする。【選択図】        図１
2004174913.tif 000002
【特許請求の範囲】
【請求項１】
パソコンとプリンタ等の画像記録装置間のデータ通信を司るデータ通信用基板と、該データ通信用基板上に着脱可能なメモリユニットと、これらを覆うと共に開閉可能な筐体とを備えた画像記録装置であって、
筐体開閉検知手段と、メモリユニットの電源オンオフ手段と、時間計測手段と、を具備し、
筐体が開いたときには、一定時間後にメモリの電源のみをオフすることを特徴とする画像記録装置。
【発明の詳細な説明】
【０００１】
【発明の属する技術分野】
本発明は、画像記録装置に係り、特に着脱可能なメモリユニットを備えた画像記録装置に関する。
【０００２】
【従来の技術】
この種のプリンタ等の画像記録装置においては、着脱可能なメモリユニットを備えており、メモリの増設時等にメモリユニットを交換するときには、プリンタ自体の電源をオフした後に交換する場合、あるいはユーザによっては電源をオンしたままで交換をする場合もある。
【０００３】
また、データ通信用基板を交換する場合も、同様にプリンタ自体の電源をオフした後に交換する場合、または電源をオンしたままで交換をする場合もある。
【０００４】
また、プリンタの電源を強制的にオフするような構成を備えているものもある（既存の装置を改良した発明。）。
【０００５】
【発明が解決しようとする課題】
しかしながら、上述した従来例では、メモリユニットを交換時、あるいはデータ通信用基板を交換時に、プリンタの電源をオフする場合には、再度プリンタの電源を立ち上げなくてはならず、電源立ち上げ及び所定のイニシャル動作をするための時間が掛かってしまうという、ユーザにとっては、非常に煩わしい問題があった。
【０００６】
また、電源をオンした状態のままでメモリユニット、あるいはデータ通信用基板を交換する場合には、電源を入れっぱなしでの活線挿抜になり、場合によってはメモリユニット、またはデータ通信用基板を破壊してしまうといった問題があった。
【０００７】
本発明は、上述の点に着目して成されたもので、メモリユニット、及びビデオコントローラ等のデータ通信用基板を変える時に、プリンタの電源をオフすることなく、且つ急な電源オフによるメモリの破壊、及び電源オン状態の交換によるメモリユニット及びビデオコントローラの破壊を生ずることなく、安全に交換可能な画像記録装置を提供することを目的とする。
【０００８】
【課題を解決するための手段】
本発明は、下記構成を備えることにより上記課題を解決できるものである。
【０００９】
（１）パソコンとプリンタ等の画像記録装置間のデータ通信を司るデータ通信用基板と、該データ通信用基板上に着脱可能なメモリユニットと、これらを覆うと共に開閉可能な筐体とを備えた画像記録装置であって、
筐体開閉検知手段と、メモリユニットの電源オンオフ手段と、時間計測手段と、を具備し、筐体が開いたときには、一定時間後にメモリの電源のみをオフすることを特徴とする画像記録装置。
【００１０】
（２）前項（１）記載の画像記録装置において、データ通信用基板の電源オンオフ手段と、メモリユニット接続有無検知手段とを設けて、メモリユニットが無い時に筐体が開けられた場合は、データ通信用基板の電源をオフすることを特徴とする画像記録装置。
【００１１】
（３）パソコンとプリンタ等の画像記録装置間のデータ通信を司るデータ通信用基板と、該データ通信用基板上に着脱可能なメモリユニットと、これらを覆うと共に開閉可能な筐体とを備えた画像記録装置の制御方法であって、
筐体開閉検知手段と、メモリユニットの電源オンオフ手段と、時間計測手段と、更にデータ通信用基板の電源オンオフ手段及びメモリユニット接続有無検知手段とを具備し、筐体が開いたときには、一定時間後にメモリの電源のみをオフするステップと、メモリユニットが無い時に筐体が開けられた場合は、データ通信用基板の電源をオフするステップとを備えたことを特徴とする画像記録装置の制御方法。
【００１２】
【発明の実施の形態】
以下に、本発明に係る画像記録装置の実施の形態を説明する。
【００１３】
（実施例１）
以下、実施例１について図面に基づき説明する。
【００１４】
図１は、電子写真プロセスを用いた画像記録装置の例としてのレーザビームプリンタの概略構成を示す断面図である。
【００１５】
レーザビームプリンタ本体１０１（以下、本体１０１）は、記録紙Ｓを収納するカセット１０２を有し、カセット１０２の記録紙Ｓの有無を検知する記録紙有無センサ１０３、カセット１０２の記録紙Ｓのサイズを検知する記録紙サイズセンサ１０４（複数個のマイクロスイッチで構成される）、カセット１０２から記録紙Ｓを繰り出す給紙ローラ１０５等が設けられている。そして、給紙ローラ１０５の下流には記録紙Ｓを同期搬送するレジストローラ対１０６が設けられている。
【００１６】
また、レジストローラ対１０６の下流にはレーザスキャナ部１０７からのレーザ光に基づいて記録紙Ｓ上にトナー像を形成するカートリッジ１０８が設けられている。
【００１７】
更に、カートリッジ１０８の下流には記録紙Ｓ上に形成されたトナー像を熱定着する定着器１０９が設けられており、定着器１０９の下流には排紙部の搬送状態を検知する排紙センサ１１０、記録紙Ｓを排紙する排紙ローラ１１１、記録の完了した記録紙Ｓを積載する積載トレイ１１２が設けられている。
【００１８】
また、前記レーザスキャナ部１０７は、後述する外部装置１３１から送出される画像信号（画像信号ＶＤＯ）に基づいて変調されたレーザ光を発光するレーザユニット１１３、このレーザユニット１１３からのレーザ光を後述する感光ドラム１１７上に走査するためのポリゴンモータ１１４、結像レンズ１１５、折り返しミラー１１６等により構成されている。
【００１９】
また、メインモータ１２３は、給紙ローラ１０５には給紙ローラクラッチ１２４を介して、レジストローラ対１０６にはレジストローラ１２５を介して、それぞれ駆動力を与えており、更に感光ドラム１１７を含むカートリッジ１０８の各ユニット、定着器１０９、排紙ローラ１１１にも駆動力を与えている。
【００２０】
そして１２６はエンジンコントローラであり、レーザスキャナ部１０７、カートリッジ１０８、定着器１０９による電子写真プロセスの制御、前記本体１０１内の記録紙の搬送制御を行っている。
【００２１】
そして、カバー１３３の中にはビデオコントローラ基板１２７が備えられており、パーソナルコンピュータ等の外部装置１３１と汎用インタフェース（セントロニクス、ＲＳ２３２Ｃ等）１３０で接続されており、この汎用インタフェース１３０から送られてくる画像情報をビットデータに展開し、そのビットデータをＶＤＯ信号として、エンジンコントローラ１２６へ送出している。
【００２２】
また、ビデオコントローラ基板１２７上には着脱及び増設可能なメモリユニット１３２が備えられており、カバー１３３を開閉してメモリユニット１３２を装着・離脱することができる。カバー１３３の開閉を検知する開閉センサ１３４が設けられており、カバー１３３の開閉を検知することができる。
【００２３】
そして、前記カートリッジ１０８内は、公知の電子写真プロセスに必要な、感光ドラム１１７、１次帯電ローラ１１９、現像器１２０、転写帯電ローラ１２１、クリーナ１２２、から構成されている。
【００２４】
また、１４０は操作部で、ビデオコントローラ基板１２７に接続されており、ビデオコントローラ基板１２７からの情報によりプリンタの状況、状態を示す。
【００２５】
図２は、実施例１におけるビデオコントローラ基板１２７周りに関する詳細図である。
【００２６】
図２において、ビデオコントローラ基板１２７にはＣＰＵ２０１が備えられており、開閉センサ１３４はフォトインタラプタであり、このフォトインタラプタはダイオード部１３４ｂ、フォトトランジスタ部１３４ａで構成されており、ダイオード１３４ｂのカソードはＧＮＤへ接続、アノードは制限抵抗２０４を介して電源Ｖｃｃに接続されている。フォトトランジスタ部１３４ａはエミッタをＧＮＤに接続、コレクタ側は２手にわかれ一方は制限抵抗２０３を介して電源Ｖｃｃへ、また、もう一方は制限抵抗２０２を介してＣＰＵ２０１に接続されている。この回路は、フォトインタラプタをメカ的に遮光及び透過させることでセンサの状態を検知するためのものである。遮光の場合はＨｉｇｈレベルが、透過の場合はＬｏｗレベルが、ＣＰＵ２０１に入力される。
【００２７】
また、２０５はメモリ電源オンオフ用のリレーであり、リレーのコイル２０５ａは一方が電源Ｖｃｃへ、もう一方がリレー駆動トランジスタ２０７のコレクタへ、逆起電力対策としてダイオード２０８がコイル２０５ａの両端に接続されている。またトランジスタ２０７のエミッタはＧＮＤへ、ベースは制限抵抗２０６を介してＣＰＵ２０１に接続されている。また、スイッチ側２０５ｂは一方が電源Ｖｃｃへ、もう一方がメモリ２１０への電源Ｖｃｏに接続されている。ＣＰＵ２０１の信号によりトランジスタ２０７を駆動し、メモリ２１０への電源Ｖｃｏをオンオフすることができる。
【００２８】
尚、本実施例ではリレーで構成したが、その他、例えばＤＣ−ＤＣコンバータ等のオンオフによる構成でも良い。
【００２９】
また、ＣＰＵ２０１はエンジンコントローラ１２６のＣＰＵ１５０と通信（ＣＭＤ、ＣＬＫ、ＳＴＳ、ＣＳ等）を行っており、カバー１３３の開閉の情報をエンジンコントローラ１２６に送ることができる。
【００３０】
尚、ＣＰＵ２０１にはタイマー２０１ａ、コンパレータ２０１ｂ、ＲＯＭ２０１ｃが設けられており、時間を計測し、ＲＯＭ２０１ｃの内容との比較をすることができる。
【００３１】
また、ＣＰＵ２０１はメモリユニット１３２上のメモリ２１０とも接続されており、ＣＰＵ２０１からの指示によりメモリ２１０内のデータ処理を行うことができる。
【００３２】
次に、本実施例について図３のフローチャートを基に説明する。
【００３３】
尚、図３は、実施例１における制御手順を示すフローチャートである。
【００３４】
まず、カバー１３３が開けられたかどうか判断し（ステップＳ１）、開けられていればメモリ２１０を終了する処理を行い（Ｓ２）、開けられていなければＳ１で待機し、タイマー２０１ａをスタートさせ（Ｓ３）、ＲＯＭ２０１ｃに予め設定された時間Ｔｒと比較し、タイマーの時間Ｔｔ＞Ｔｒかどうか判断し（Ｓ４）、そうでなければ（ＮＯ）Ｓ４へ、そうであれば（ＹＥＳ）リレー２０５をオフし、メモリ２１０の電源をオフする（Ｓ５）。
【００３５】
（実施例２）
本実施例２は、全体的な構成は前述の実施例１と殆ど同じであるが、実施例１ではカバーが開けられたときに所定時間後にメモリの電源をオフしていたが、実施例２ではメモリ有無検知によってメモリがない場合にはビデオコントローラ基板を交換すると判断し、ビデオコントローラの電源をオフするものである。
【００３６】
図４は、実施例２におけるビデオコントローラ基板１２７周りに関する詳細図である。
【００３７】
構成は、実施例１とほぼ同じであるため、異なる部分について説明する。
【００３８】
ビデオコントローラ基板１２７内には、メモリユニット１３２とビデオコントローラ基板１２７が接続されているか、否かを検知するために検知回路が設けられている。この回路はプルアップ抵抗２１１と制限抵抗２１０を介して片方はＣＰＵ２０１に接続されており、もう一方はメモリユニット１３２内でＧＮＤに接続されている。このような構成によりメモリユニット１３２接続時にはＧＮＤレベルが、未接続時にはＶｃｃレベルが、ＣＰＵ２０１に入力されることでメモリユニット１３２が接続されているか否かを検知することができる。
【００３９】
また、３０５はビデオコントローラ基板１２７の電源オンオフ用のリレーであり、リレー３０５のコイル３０５ａは一方が電源Ｖｃｃへ、もう一方がリレー駆動トランジスタ３０７のコレクタへ、逆起電力対策としてダイオード３０８がコイル３０５ａの両端に接続されている。またトランジスタ３０７のエミッタはＧＮＤへ、ベースは制限抵抗３０６を介してＣＰＵ１５０に接続されている。また、スイッチ側３０５ｂは一方が電源Ｖｃｃへ、もう一方がメモリへの電源Ｖｃｏに接続されている。ＣＰＵ１５０の信号によりトランジスタ３０７を駆動し、メモリへの電源Ｖｃｏをオンオフすることができる。
【００４０】
尚、本実施例ではリレーで構成したがその他、例えばＤＣ−ＤＣコンバータ等のオンオフによる構成でも良い。
【００４１】
次に、実施例２について図５のフローチャートを基に説明する。
【００４２】
尚、図５は、実施例２における制御手順を示すフローチャートである。
【００４３】
まず、カバー１３３が開けられたかどうか判断し（ステップＳ１１）、開けられていればメモリユニット１３２が接続されているかどうか判断し（Ｓ１２）、メモリがなければＣＰＵ２０１からＣＰＵ１５０に情報を知らせてリレー３０５をオフさせてビデオコントローラ基板１２７の電源をオフする。
【００４４】
ステップＳ１２でメモリユニット１３２が接続されていればメモリ２１０を終了する処理を行い（Ｓ１３）、タイマー２０１ａをスタートさせ（Ｓ１４）、ＲＯＭ２０１ｃに予め設定された時間Ｔｒと比較し、タイマーの時間Ｔｔ＞Ｔｒかどうか判断し（Ｓ１５）、Ｔｔ＞Ｔｒでなければ待機、Ｔｔ＞Ｔｒになればリレー２０５をオフし、メモリ２１０の電源をオフする（Ｓ１６）。
【００４５】
【発明の効果】
以上説明したように本発明によれば、パソコンとプリンタ等の画像記録装置間のデータ通信を司るデータ通信用基板と、該データ通信用基板上に着脱可能なメモリユニットと、これらを覆うと共に開閉可能な筐体とを備えた画像記録装置において、筐体開閉検知手段とメモリの電源オンオフ手段と時間計測手段とを設けて、筐体が開いたときには一定時間後にメモリの電源のみをオフする。
【００４６】
また、データ通信用基板の電源オンオフ手段と、メモリユニット接続有無検知手段とを設けて、メモリユニットが無い時に筐体が開けられた場合は、データ通信用基板の電源をオフする。
【００４７】
これにより、メモリ、及びビデオコントローラ等のデータ通信用基板を変える時にプリンタの電源をオフすることなく、且つ急な電源オフによるメモリの破壊、及び電源オン状態の交換によるメモリ及びビデオコントローラの破壊を生ずることなく、安全に交換をすることができる。
【図面の簡単な説明】
【図１】本発明に係る電子写真プロセスを用いた画像記録装置の例としてのレーザビームプリンタの概略構成を示す断面図
【図２】実施例１におけるビデオコントローラ基板１２７周りに関する詳細図
【図３】実施例１における制御手順を示すフローチャート
【図４】実施例２におけるビデオコントローラ基板１２７周りに関する詳細図
【図５】実施例２における制御手順を示すフローチャート
【符号の説明】
１０１  プリンタ（レーザビームプリンタ本体、または本体）
１０２  カセット
１０３  記録紙有無センサ
１０４  記録紙サイズセンサ
１０５  給紙ローラ
１０６  レジストローラ対
１０７  レーザスキャナ部
１０８  カートリッジ
１０９  定着器
１１０  排紙センサ
１１１  排紙ローラ
１１２  積載トレイ
１１３  レーザユニット
１１４  ポリゴンモータ
１１５  結像レンズ
１１７  感光ドラム
１２６  エンジンコントローラ
１２７  ビデオコントローラ基板（データ通信用基板）
１３０  汎用インタフェース（セントロニクス、ＲＳ２３２Ｃ等）
１３１  外部装置（パソコン等）
１３２  メモリユニット（メモリ）
１３３  カバー（筐体）
１３４  開閉センサ（開閉検知手段、またはフォトインタラプタ）
２０５，３０５  リレー
Ｓ  記録紙
【図１】
2004174913.tif 000003
【図２】
2004174913.tif 000004
【図３】
2004174913.tif 000005
【図４】
2004174913.tif 000006
【図５】
2004174913.tif 000007